(57)【要約】【課題】ユーザが消去すべきコンテンツの選択を判断可能にし、コンテンツを安全かつ効率的に消去することが可能な映像記録装置を提供する。【解決手段】記録媒体に記録されている映像ファイルが送信先装置に送信済みか否かを示す送信情報を管理する管理手段と、映像ファイルのうち、送信先装置に送信済みの映像ファイルに対する送信先装置での重要度合いを、前記送信先装置に問い合わせて受信する重要度問合手段と、送信情報と重要度合いとに基づいて、記録媒体に記録されている映像ファイルの中で、重要度の低い映像ファイルを判断する判断手段と、判断手段が判断した重要度の低い映像ファイルを、優先して削除すべき映像ファイルとして提示する提示手段と、提示手段が提示する映像ファイルの中から選択された映像ファイルを受け付ける選択受付手段と、選択受付手段が受け付けた映像ファイルを削除する削除手段を備えることを特徴とする。【選択図】図１
2010021972.tif 000002
【特許請求の範囲】
【請求項１】
記録媒体に記録されている、所定単位の映像データがファイル化された映像ファイルを送信先装置へ送信する映像記録装置であって、
前記記録媒体に記録されている映像ファイルが前記送信先装置に送信済みか否かを示す送信情報を管理する管理手段と、
前記映像ファイルのうち、前記送信先装置に送信済みの映像ファイルに対する前記送信先装置での重要度合いを、前記送信先装置に問い合わせ、当該送信済みの映像ファイルに対する重要度合いを受信する重要度問合手段と、
前記送信情報と前記重要度合いとに基づいて、前記記録媒体に記録されている映像ファイルの中で、重要度の低い映像ファイルを判断する判断手段と、
前記判断手段が判断した重要度の低い映像ファイルを、優先して削除すべき映像ファイルとして提示する提示手段と、
前記提示手段が提示する映像ファイルの中から選択された映像ファイルを受け付ける選択受付手段と、
前記選択受付手段が受け付けた映像ファイルを削除する削除手段を備える
ことを特徴とする映像記録装置。
【請求項２】
前記提示手段は、映像ファイルを当該映像ファイルに関連付けられた所定の静止データであるアイコンで表示することで、優先して削除すべき映像ファイルを提示する
ことを特徴とする請求項１に記載の映像記録装置。
【請求項３】
前記重要度合いは、映像ファイルが伝送路のエラーにより破壊されていたかどうかを示す情報を含み、
前記判断手段は、当該映像ファイルが伝送路のエラーにより破壊されていないことを示す情報が前記重要度合いに含まれていた場合、当該映像ファイルをより重要度の低い映像ファイルと判断する
ことを特徴とする請求項１に記載の映像記録装置。
【請求項４】
前記送信先装置は、編集装置であり、
前記重要度合いは、さらに、映像ファイルが前記編集装置で編集に採用したかどうかを示す編集情報を含み、
前記判断手段は、さらに、当該映像ファイルが前記編集装置で編集に採用されていないことを示す情報が前記重要度合いに含まれていた場合、当該映像ファイルをより重要度の低い映像ファイルと判断する
ことを特徴とする請求項３に記載の映像記録装置。
【請求項５】
前記送信先装置は映像公開サーバであり、
前記重要度合いは、さらに、前記映像公開サーバで映像ファイルを閲覧した閲覧者が行った当該映像ファイルに対する評価度を含み、
前記判断手段は、さらに、当該映像ファイルに対して低い評価度が前記重要度合いに含まれていた場合、当該映像ファイルを重要度のより低い映像ファイルと判断する
ことを特徴とする請求項３に記載の映像記録装置。
【請求項６】
前記重要度合いは、さらに、映像ファイルが前記映像公開サーバで公開状態にあるかどうかを示す情報を含み、
前記判断手段は、さらに、当該映像ファイルが前記映像公開サーバで公開状態にあることを示す情報が前記重要度合いに含まれていた場合、当該映像ファイルを重要度のより低い映像ファイルと判断する
ことを特徴とする請求項５に記載の映像記録装置。
【請求項７】
記録媒体に記録されている、所定単位の映像データがファイル化された映像ファイルを送信先装置へ送信する映像記録装置の映像ファイル削除方法であって、
前記記録媒体に記録されている映像ファイルが前記送信先装置に送信済みか否かを示す送信情報を管理する管理ステップと、
前記映像ファイルのうち、前記送信先装置に送信済みの映像ファイルに対する前記送信先装置での重要度合いを、前記送信先装置に問い合わせ、当該送信済みの映像ファイルに対する重要度合いを受信する重要度問合ステップと、
前記送信情報と前記重要度合いとに基づいて、前記記録媒体に記録されている映像ファイルの中で、重要度の低い映像ファイルを判断する判断ステップと、
前記判断ステップにおいて判断された重要度の低い映像ファイルを、優先して削除すべき映像ファイルとして提示する提示ステップと、
前記提示ステップにおいて提示された映像ファイルの中から選択された映像ファイルを受け付ける選択受付ステップと、
前記選択受付ステップにおいて、受け付けた映像ファイルを削除する削除ステップとを含む
ことを特徴とする映像ファイル削除方法。
【請求項８】
記録媒体に記録されている、所定単位の映像データがファイル化された映像ファイルを送信先装置へ送信する映像記録装置の映像ファイル削除するためのプログラムであって、
前記記録媒体に記録されている映像ファイルが前記送信先装置に送信済みか否かを示す送信情報を管理する管理ステップと、
前記映像ファイルのうち、前記送信先装置に送信済みの映像ファイルに対する前記送信先装置での重要度合いを、前記送信先装置に問い合わせ、当該送信済みの映像ファイルに対する重要度合いを受信する重要度問合ステップと、
前記送信情報と前記重要度合いとに基づいて、前記記録媒体に記録されている映像ファイルの中で、重要度の低い映像ファイルを判断する判断ステップと、
前記判断ステップにおいて判断された重要度の低い映像ファイルを、優先して削除すべき映像ファイルとして提示する提示ステップと、
前記提示ステップにおいて提示された映像ファイルの中から選択された映像ファイルを受け付ける選択受付ステップと、
前記選択受付ステップにおいて、受け付けた映像ファイルを削除する削除ステップと
をコンピュータに実行させるためのプログラム。
【発明の詳細な説明】
【技術分野】
【０００１】
本発明は、映像記録装置に関し、特に映像記録装置で記録した映像データをネットワーク伝送で遠隔地にある映像編集装置や映像公開サーバ等に送信する映像記録装置に関する。
【背景技術】
【０００２】
近年、ＷｉＭＡＸの普及に代表されるように、市街における無線ＬＡＮホットスポットが増加している。これにより、デジタルカメラで撮影した写真等のデジタルデータを無線ＬＡＮホットスポットからネットワークを介して自宅のパソコンやサーバ、オンラインサービスやラボ店等にアップロードすることが現実的になっている（例えば、下記特許文献１参照。）。
【０００３】
下記特許文献１の例では、被写体の画像データとこの画像データに対応する識別データとを転送するデータ通信部と、撮影コマ格納用記憶手段と、転送画像データ用記憶手段とを備えたカメラが提示されている。これにより、ユーザは無線ＬＡＮホットスポット等からネットワークを介してＤＰ処理等の注文が可能となるので、記録媒体を現像所やＤＰ受付店に引き渡す必要がなくなり、ＤＰ処理等の注文に手間や時間がかからなくなる。
【０００４】
また、下記特許文献１では、さらに、映像データの転送が正常に終了した場合に送信される正常受信信号又は受付ＩＤ番号に基づき、転送済みの画像データを消去するカメラについて開示されている。これにより、カメラ内蔵の記録媒体を有効活用することで、記録媒体を多数用意することなく高画質の写真撮影を行うことができる。
【特許文献１】特開２００５−１６８０５６号公報
【発明の開示】
【発明が解決しようとする課題】
【０００５】
しかしながら、上記特許文献１に示される従来例では、扱うデータは静止画である。また、データ受信側からカメラに返される信号は、正常に転送できたか否かを示すものだけであった。そのため、扱うデータが動画像である映像記録装置に前記従来例を適用した場合、以下のような問題があった。
【０００６】
まず、一般に動画像データは静止画データに比べて極めて巨大なデータサイズを有しており、そのことに起因する課題がある。すなわち、転送されて受信した動画像データが伝送路のエラー等で壊れていないかを確認する作業に非常に長い時間を要するため、受信側は、動画像データを受信終了後すぐに正常終了通知を映像記録装置に返せない場合があるという課題がある。
【０００７】
さらに、映像記録装置が、記録媒体として、例えばメモリカードのようなリムーバブルな媒体を用いる場合、受信側は、受信した動画像データのエラーチェックに時間をかけた上で映像記録装置に正常受信信号を返したとしても、その時点でその記録媒体が前記映像記録装置に接続されている保証はない。また、その記録媒体が再度映像記録装置に接続されるという保証もないため、結局、記録媒体上から転送終了した動画像データを消去するタイミングを失ってしまうという課題もある。
【０００８】
また、映像記録装置が内蔵する記録媒体から、送信が正常終了した時点で動画像データをすぐに消してしまうと、消してしまった動画像データを映像記録装置側で再生して確認したい場合、動画像データを、ネットワーク越しに取得し直す必要が生じる。そのため、利便性が悪くなるという課題がある。そこで、利便性を悪くしないためには、映像記録装置の内蔵記録媒体の容量が一杯になるまで、動画像データを消去する行為の実行を先延ばしにしておくのが好ましい。しかしながら、その場合、映像記録装置の内蔵記録媒体内に記録されたコンテンツの数が非常に多くなり、いざ消去が必要となったときにどのコンテンツの動画像データから消していいのかユーザが判断に困る事態が生じる。
【０００９】
そこで、本発明は、上述の事情を鑑みてなされたもので、ユーザが消去すべきコンテンツの選択を判断可能にし、コンテンツを安全かつ効率的に消去することが可能な映像記録装置を提供することを目的とする。
【課題を解決するための手段】
【００１０】
上記課題を解決するため、本発明に係る映像記録装置は、記録媒体に記録されている、所定単位の映像データがファイル化された映像ファイルを送信先装置へ送信する映像記録装置であって、前記記録媒体に記録されている映像ファイルが前記送信先装置に送信済みか否かを示す送信情報を管理する管理手段と、前記映像ファイルのうち、前記送信先装置に送信済みの映像ファイルに対する前記送信先装置での重要度合いを、前記送信先装置に問い合わせ、当該送信済みの映像ファイルに対する重要度合いを受信する重要度問合手段と、前記送信情報と前記重要度合いとに基づいて、前記記録媒体に記録されている映像ファイルの中で、重要度の低い映像ファイルを判断する判断手段と、前記判断手段が判断した重要度の低い映像ファイルを、優先して削除すべき映像ファイルとして提示する提示手段と、前記提示手段が提示する映像ファイルの中から選択された映像ファイルを受け付ける選択受付手段と、前記選択受付手段が受け付けた映像ファイルを削除する削除手段を備えることを特徴とする。
【００１１】
また、前記提示手段は、映像ファイルを当該映像ファイルに関連付けられた所定の静止データであるアイコンで表示することで、優先して削除すべき映像ファイルを提示してもよい。
【００１２】
また、前記重要度合いは、映像ファイルが伝送路のエラーにより破壊されていたかどうかを示す情報を含み、前記判断手段は、当該映像ファイルが伝送路のエラーにより破壊されていないことを示す情報が前記重要度合いに含まれていた場合、当該映像ファイルをより重要度の低い映像ファイルと判断してもよい。
【００１３】
また、前記送信先装置は、編集装置であり、前記重要度合いは、さらに、映像ファイルが前記編集装置で編集に採用したかどうかを示す編集情報を含み、前記判断手段は、さらに、当該映像ファイルが前記編集装置で編集に採用されていないことを示す情報が前記重要度合いに含まれていた場合、当該映像ファイルをより重要度の低い映像ファイルと判断してもよい。
【００１４】
また、前記送信先装置は映像公開サーバであり、前記重要度合いは、さらに、前記映像公開サーバで映像ファイルを閲覧した閲覧者が行った当該映像ファイルに対する評価度を含み、前記判断手段は、さらに、当該映像ファイルに対して低い評価度が前記重要度合いに含まれていた場合、当該映像ファイルを重要度のより低い映像ファイルと判断してもよい。
【００１５】
また、前記重要度合いは、さらに、映像ファイルが前記映像公開サーバで公開状態にあるかどうかを示す情報を含み、前記判断手段は、さらに、当該映像ファイルが前記映像公開サーバで公開状態にあることを示す情報が前記重要度合いに含まれていた場合、当該映像ファイルを重要度のより低い映像ファイルと判断してもよい。
【００１６】
なお、本発明は、装置として実現するだけでなく、このような装置を構成する処理手段をステップとする方法として実現したり、それらステップをコンピュータに実行させるプログラムとして実現したり、そのプログラムを示す情報、データ又は信号として実現したりすることもできる。そして、それらプログラム、情報、データ及び信号は、ＣＤ−ＲＯＭ等の記録媒体やインターネット等の通信媒体を介して配信してもよい。
【発明の効果】
【００１７】
本発明によれば、ユーザが消去すべきコンテンツの選択を判断可能にし、コンテンツを安全かつ効率的に消去することが可能な映像記録装置を実現することができる。
【００１８】
したがって、映像記録装置で取り外し可能な記録媒体を使用する場合でも転送終了した記録媒体内のコンテンツの動画像データを安全かつ効率的に消去することができる。また、映像記録装置側で消去候補コンテンツの優先順位を示すことができるため、ユーザが消去すべきコンテンツの選択に迷うこともなくなる。
【発明を実施するための最良の形態】
【００１９】
以下、本発明の実施の形態について、図面を用いて説明する。
【００２０】
（実施の形態１）
図１は、本発明の実施の形態１における映像記録装置１００の構成を示したブロック図である。図２は、本発明の実施の形態１における編集システム２００の構成を示したブロック図である。
【００２１】
映像記録装置１００は、図１に示すように、撮像装置１０１と、動画圧縮部１０２と、ファイル入出力部１０３と、記録媒体１０４と、指示受付部１０５と、ＵＭＩＤ付加部１０６と、送信ファイル決定部１０７と、ファイル一覧取得部１０８と、無線通信部１０９と、エラーチェック情報計算部１１０と、削除ファイル候補問合部１１１と、削除優先順決定部１１２と、タッチスクリーン１１３と、コンテンツ表示順並替部１１９と、ファイル削除部１２０と、削除ファイル指定部１２１と、アイコン表示部１２３とを備える。ここで、削除優先順決定部１１２は、編集結果問合部１１４と、送信済リスト読出部１１５と、ＵＭＩＤソート部１１７と、送信結果問合部１２２とから構成され、削除優先順テーブル１１６を含んでいる。
【００２２】
撮像装置１０１は、指示受付部１０５を通じてユーザからの録画開始指示が入力されると、撮像を開始し、撮像した動画像データを動画圧縮部１０２に出力する。撮像装置１０１は、指示受付部１０５を通じてユーザからの録画終了指示が入力されると、撮像を停止する。
【００２３】
動画圧縮部１０２は、撮像装置１０１により入力された非圧縮動画像データをＭＰＥＧ−２やＤＶなどの動画像符号形式に圧縮し、ファイル入出力部１０３に出力する。
【００２４】
ファイル入出力部１０３は、動画圧縮部１０２より入力された圧縮された動画像データを映像ファイルとして記録媒体１０４に記録する。ファイル入出力部１０３は、指示受付部１０５を通じてユーザにより指示された録画開始時から録画終了時までごとに撮像された動画像データに対応する、独立した映像ファイルを記録媒体１０４上に記録する。
【００２５】
記録媒体１０４は、ファイル入出力部１０３により記録された映像ファイルが記録される。また、記録媒体１０４には、ユーザにより指示された記録開始のタイミングごとに生成された固有のＩＤが映像ファイルと共に記録される。
【００２６】
指示受付部１０５は、例えば映像記録装置１００の外装に設置された押しボタンなどであり、ユーザからの録画開始又は録画終了の指示を撮像装置１０１に入力する。
【００２７】
ＵＭＩＤ付加部１０６は、ユーザからの記録開始の指示が指示受付部１０５に入力されたタイミングごとに固有のＩＤを生成し、映像ファイルに付加する。ここで、固有のＩＤとしては、例えばＵＭＩＤ（Ｕｎｉｑｕｅ  Ｍａｔｅｒｉａｌ  Ｉｄｅｎｔｉｆｉｅｒ  ：  ＳＭＰＴＥ  ３３０Ｍ）が使用される（以下固有のＩＤをＵＭＩＤとして記載する。）。
【００２８】
なお、ＵＭＩＤ付加部１０６は、生成したＵＭＩＤを、映像ファイル本体に動画圧縮部１０２を通じて埋め込んでもよく、映像ファイルに関連付けた別ファイル（以下、付随ファイルと記載。）として動画圧縮部１０２及びファイル入出力部１０３を通じて記録媒体１０４に書き込んでもよい。
【００２９】
ファイル一覧取得部１０８は、ファイル入出力部１０３を通じて記録媒体１０４の内容を走査し、記録媒体１０４内に記録されている全映像ファイルのファイル名、そのＵＭＩＤ、作成日時及び各映像ファイルの先頭フレームの静止画についての一覧を取得する。
【００３０】
送信ファイル決定部１０７は、ファイル一覧取得部１０８を通じて定期的に記録媒体１０４に記録された映像ファイルを監視する。
【００３１】
送信ファイル決定部１０７は、予め定められたアルゴリズムに則って送信の必要があると判断できる映像ファイルを見つけた場合、ファイル入出力部１０３を通じて記録媒体１０４から該当する映像ファイルを読み出す。送信ファイル決定部１０７は、読み出した映像ファイルを、無線通信部１０９を介してネットワーク先にある編集システム２００に送信する。
【００３２】
ここで、送信ファイル決定部１０７は、ＵＭＩＤが映像ファイルと関連付けられた付随ファイルに記録されている場合は、ファイル入出力部１０３を通じて記録媒体１０４から該当する付随ファイルを読み出す。送信ファイル決定部１０７は、読み出した付随ファイルを映像ファイルと同時に、無線通信部１０９を介してネットワーク先にある編集システム２００に送信する。
【００３３】
なお、送信ファイル決定部１０７は、編集システム２００に送信する映像ファイルを、ネットワークを通じて転送しやすい別のフォーマットのファイル（例えばＭＰＥＧ−４やＨ．２６４など）や低解像度のファイルにトランスコードしてから送信してもよい。また、送信ファイル決定部１０７は、編集システム２００に送信する映像ファイルと関連付けられ、記録媒体１０４上に予め用意されている別フォーマットや低解像度の映像データを用いてもよい。
【００３４】
また、送信ファイル決定部１０７が予め定められたアルゴリズムに則って送信の必要があるかどうかを判断する方法としては、例えば、ネットワーク先にある編集システム２００に未だ送信していない映像ファイルのうち、作成日時が古い順に送信が必要と判断する方法がある。ただし、送信ファイル決定部１０７が未送信のファイルをひとつずつ選択できる方法であればどのようなアルゴリズムであっても構わない。
【００３５】
また、送信ファイル決定部１０７は、無線通信部１０９を通じてネットワークに送信完了した映像ファイルのＵＭＩＤの一覧を、送信済ファイルリスト１１８として記録媒体１０４に記録する。
【００３６】
図３は、映像記録装置１００における記録媒体１０４のファイル構成を示す図である。図３では、記録媒体１０４上で記録されている映像ファイルと送信済ファイルリスト１１８との例を示しており、送信完了した映像ファイルのＵＭＩＤの一覧（送信済ファイルリスト１１８）を記録媒体１０４上に記録する方法の例を示している。
【００３７】
図３に示すように、映像ファイルは、記録媒体１０４のファイルシステムにあるＣＯＮＴＥＮＴＳディレクトリ直下のＶＩＤＥＯディレクトリに記録され、撮影された順番を連番としてファイル名に与えられている。
【００３８】
送信完了した映像ファイルのＵＭＩＤの一覧（送信済ファイルリスト１１８）は、ＣＯＮＴＥＮＴＳディレクトリ直下にあるＭＥＴＡディレクトリにあるＳＥＮＴ．ＸＭＬファイルに記録されている。ここで、ＳＥＮＴ．ＸＭＬファイルは、ＸＭＬ形式（ｅＸｔｅｎｓｉｂｌｅ  Ｍａｒｋｕｐ  Ｌａｎｇｕａｇｅ  ［ＪＩＳ  Ｘ  ４１５９：２００２］）で記述されている。
【００３９】
送信完了した映像ファイルのＵＭＩＤの一覧（送信済ファイルリスト１１８）は、図３に示すように、＜ＳＥＮＴ＿ＬＩＳＴ＞タグ以下に並べられた＜ＳＥＮＴ＞タグで、例えば＜ｕｍｉｄ  ｆｉｌｅ＝“０００１．ｍｘｆ”＞のように列挙されている。
【００４０】
このように、送信ファイル決定部１０７は、映像ファイルの送信が完了するたびに該当するＵＭＩＤを含む＜ＳＥＮＴ＞タグを追加していくことで、送信完了した映像ファイルの一覧を記録媒体１０４上につくりあげる。
【００４１】
また、送信ファイル決定部１０７は、映像ファイルを、無線通信部１０９を通じてネットワーク先の編集システム２００に送信する。その際、送信ファイル決定部１０７はエラーチェック情報計算部１１０に、送信対象のデータ（ここでは映像ファイル）のチェックサム（Ｃｈｅｃｋ  Ｓｕｍ）もしくはＣＲＣ（Ｃｙｃｌｉｃ  Ｒｅｄｕｎｄａｎｃｙ  Ｃｈｅｃｋ）といった、エラーチェック情報を計算させる。
【００４２】
送信ファイル決定部１０７は、映像ファイルの送信が完了した時点で、エラーチェック情報計算部１１０から取得した、送信完了した映像ファイルのデータのエラーチェック情報を、無線通信部１０９を通じてネットワークの先にある編集システム２００に送信する。
【００４３】
なお、送信ファイル決定部１０７は、エラーチェック情報計算部１１０を内部に備えていてもよい。
【００４４】
エラーチェック情報計算部１１０は、送信ファイル決定部１０７が送信対象とするデータ（例えば、ＵＭＩＤや映像ファイル）のチェックサム（Ｃｈｅｃｋ  Ｓｕｍ）もしくはＣＲＣ（Ｃｙｃｌｉｃ  Ｒｅｄｕｎｄａｎｃｙ  Ｃｈｅｃｋ）といった、エラーチェック情報を計算する。
【００４５】
無線通信部１０９は、映像ファイルや付随ファイル、エラーチェック情報などのデータを、ネットワークを介して編集システム２００に送信する。
【００４６】
削除ファイル候補問合部１１１は、例えば映像記録装置１００の外装に設置した押しボタンや映像記録装置１００に備わったタッチスクリーン１１３などである。削除ファイル候補問合部１１１は、ユーザより、タッチスクリーン１１３を通じて、削除候補の問い合わせがあった場合に、その問い合わせを受けて、削除優先順決定部１１２を起動する。
【００４７】
削除優先順決定部１１２は、編集結果問合部１１４と、送信済リスト読出部１１５と、ＵＭＩＤソート部１１７と、送信結果問合部１２２とから構成され、削除優先順テーブル１１６を含んでいる。削除優先順決定部１１２は、ユーザより、タッチスクリーン１１３を通じて、削除ファイルの問い合わせがあった場合に起動する。なお、ＵＭＩＤソート部１１７が削除優先順テーブル１１６を含んでもよい。
【００４８】
編集結果問合部１１４は、編集システム２００のＥＤＩＴＥＤ−ＵＭＩＤ検索部２１１と通信する。
【００４９】
ＵＭＩＤソート部１１７は、ユーザから削除候補の問い合わせがあった場合に、記録媒体１０４に記録された送信済ファイルリスト１１８と、記録媒体２０３にある使用映像リスト２０８及びチェック終了リスト２０５とに記録されている状態と、削除優先順テーブル１１６とに基づいて、記録媒体１０４に記録されている映像ファイルを分別する。
【００５０】
ファイル削除部１２０は、削除ファイル指定部１２１で指定された映像ファイルを、ファイル入出力部１０３を通じて削除する。
【００５１】
送信結果問合部１２２は、無線通信部１０９を通じてネットワーク先の編集システム２００のＣＨＥＣＫＥＤ−ＵＭＩＤ検索部２１０と通信する。
【００５２】
アイコン表示部１２３は、例えばタッチスクリーンからなり、アイコン等を表示する。例えば、アイコン表示部１２３では、表示したアイコンのうちユーザが触れることで選択したアイコンに対応する映像ファイルを削除指示されたとして、削除ファイル指定部１２１に通知することができる。
【００５３】
削除ファイル指定部１２１は、例えばタッチスクリーンからなり、アイコン表示部１２３を介して、ユーザに削除するように指示されたアイコンに対応する映像ファイルを削除するように、ファイル削除部１２０に通知する。
【００５４】
なお、削除ファイル候補問合部１１１、アイコン表示部１２３及び削除ファイル指定部１２１は、タッチスクリーン１１３に備えられていてもよい。
【００５５】
編集システム２００は、図２に示すように、無線通信部２０１と、ファイル入出力部２０２と、記録媒体２０３と、データエラーチェック部２０４と、映像編集端末２０６と、ＣＨＥＣＫＥＤ−ＵＭＩＤ検索部２１０と、ＥＤＩＴＥＤ−ＵＭＩＤ検索部２１１とを備える。
【００５６】
無線通信部２０１は、映像記録装置１００から送信されてきた映像ファイルと必要であれば該当するＵＭＩＤが記録された付随ファイルを受信する。無線通信部２０１は、受信した映像ファイルとその付随ファイルとをファイル入出力部２０２を通じて記録媒体２０３に記録する。
【００５７】
また、無線通信部２０１は、映像記録装置１００から送信されてきた映像ファイルのエラーチェック情報を受信し、受信したエラーチェック情報をデータエラーチェック部２０４に送信する。
【００５８】
データエラーチェック部２０４は、無線通信部２０１から映像ファイルのエラーチェック情報を受信すると、ファイル入出力部２０２を通じて記録媒体２０３から、それに対応する映像ファイルを読み込む。データエラーチェック部２０４は、読み込んだ映像ファイルのデータが、映像記録装置１００から送信された際の伝送路のエラー等で壊れていないかを確認する、すなわちファイルデータの整合性チェックを行う。
【００５９】
データエラーチェック部２０４は、ファイルデータの整合性チェックの結果を、ファイル入出力部２０２に送信する。
【００６０】
ファイル入出力部２０２は、受信したファイルデータの整合性チェックの結果をチェック終了リスト２０５として、記録媒体２０３に記録する。
【００６１】
図４は、編集システム２００における記録媒体２０３のファイル構成を示す図である。図４では、チェック終了リスト２０５の記録方法の１例を示している。
【００６２】
ここで、図３に示す映像記録装置１００側における記録媒体１０４の場合と同様に、編集システム２００における記録媒体２０３では、構築されたファイルシステムで、ＣＯＮＴＥＮＴＳディレクトリとＶＩＤＥＯディレクトリとＭＥＴＡディレクトリとが作成される。映像ファイルは、ＶＩＤＥＯディレクトリに記録される。
【００６３】
記録媒体２０３では、さらに、ＭＥＴＡディレクトリの下にＣＨＥＣＫＥＤ．ＸＭＬファイルが作成される。データエラーチェック部２０４でファイルデータの整合性チェックが終了したファイルの一覧（チェック終了リスト２０５）は、ＸＭＬ形式でＣＨＥＣＫＥＤ．ＸＭＬファイル中に記録される。
【００６４】
具体的には、ＣＨＥＣＫＥＤ．ＸＭＬファイルでは、＜ＣＨＥＣＫＥＤ＿ＬＩＳＴ＞タグ以下の＜ＯＫ＞タグでファイルデータ整合性チェックの結果問題なかった映像ファイルのＵＭＩＤ、例えば０００１．ｍｘｆファイルの６７８０２６５等が列挙されている。また、＜ＮＧ＞タグでファイルデータ整合性チェックの結果データが壊れていると判断された映像ファイルのＵＭＩＤ、例えば０００２．ｍｘｆファイルの３４６５７６７等が列挙されている。
【００６５】
映像編集端末２０６は、例えばユーザが所望する映像ファイルの再生順番を指定するプレイリスト２０７を、記録媒体２０３にファイル入出力部２０２を通じて作成する。
【００６６】
また、映像編集端末２０６は、記録媒体２０３に記録された複数の映像ファイルをもとにして、プレイリスト２０７以外にもチェック終了リスト２０５、使用映像リスト２０８等を記録媒体２０３に、ファイル入出力部２０２を通じて作成する。
【００６７】
図５は、映像編集端末２０６が作成するプレイリスト２０７の１例を示す図である。
【００６８】
ここで、本実施の形態では、プレイリストの記述形式としてＳＭＩＬ  １．０（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ  １．０  ：  Ｗ３Ｃ  Ｒｅｃｏｍｍｅｎｄａｔｉｏｎ）を採用している。ＳＭＩＬは、ＸＭＬをもとにした映像処理用言語である。ＳＭＩＬにおける＜ＳＥＱ＞タグは、そのタグ内に列挙された要素が時間的に連続して順次再生されることを表している。
【００６９】
図５に示すプレイリスト２０７では、記録媒体２０３に記録された映像ファイルは、０００３．ｍｘｆ、０００５．ｍｘｆ及び０００２．ｍｘｆの順番に再生されることが示されている。ユーザは、映像編集端末２０６を通じて記録媒体２０３内の映像ファイルを確認しながら図５の例に示すプレイリスト２０７を作成する。
【００７０】
映像編集端末２０６は、ユーザによりプレイリスト２０７が作成されると、作成されたプレイリスト２０７で再生コンテンツとして指定される映像ファイルのリストを、使用映像リスト２０８として作成し、作成した使用映像リスト２０８を記録媒体２０３に記録する。
【００７１】
また、映像編集端末２０６は、ユーザによるプレイリスト２０７作成過程で、映っている内容に価値がなく、今後使うことはなく不要とユーザにより判断された映像ファイルのリストを不要ファイルリスト２０９として作成する。
【００７２】
なお、不要ファイルリスト２０９は、使用映像リスト２０８中に反映されてもよい。
【００７３】
ここで、図４を用いて使用映像リスト２０８の例を説明する。
【００７４】
編集システム２００における記録媒体２０３では、さらに、ＭＥＴＡディレクトリ直下にＥＤＩＴＥＤ．ＸＭＬファイルが作成される。使用映像リスト２０８は、映像編集端末２０６によって、ＥＤＩＴＥＤ．ＸＭＬファイルにＸＭＬ形式で記録される。
【００７５】
具体的には、記録媒体２０３では、図４に示すように、＜ＥＤＩＴＥＤ＞タグ以下の＜ＵＳＥＤ＞タグを用いて、ユーザにより作成されたプレイリスト２０７で指定される映像ファイルのＵＭＩＤ、例えば０００１．ｍｘｆファイルの６７８０２６５等が列挙される。また、記録媒体２０３では、＜ＴＲＡＳＨ＞タグを用いて、ユーザにより不要と判断された映像ファイルのＵＭＩＤ、例えば０００３．ｍｘｆファイルの８９５６４６５等が列挙される。
【００７６】
記録媒体２０３は、ファイル入出力部２０２により記録された映像ファイル、付随ファイル、使用映像リスト２０８、プレイリスト２０７、チェック終了リスト２０５等が記録される。
【００７７】
ＣＨＥＣＫＥＤ−ＵＭＩＤ検索部２１０は、編集システム２００の記録媒体２０３に記録されたチェック終了リスト２０５を走査し、問い合わせのあったそれぞれのＵＭＩＤの状態を確認する。ＣＨＥＣＫＥＤ−ＵＭＩＤ検索部２１０は、確認したＵＭＩＤの状態を示す信号を送信結果問合部１２２に通知する。
【００７８】
ＥＤＩＴＥＤ−ＵＭＩＤ検索部２１１は、編集システム２００の記録媒体２０３に記録された使用映像リスト２０８を走査して、問い合わせのあったそれぞれのＵＭＩＤの状態を確認する。ＥＤＩＴＥＤ−ＵＭＩＤ検索部２１１は、確認したＵＭＩＤの状態を示す信号を編集結果問合部１１４に通知する。
【００７９】
次に、映像記録装置１００のユーザが、記録媒体１０４内の映像ファイルを消去する場合の手順について以下説明する。
【００８０】
図６は、映像ファイルの削除候補優先順位に基づいて、ユーザが記録媒体１０４内の映像ファイルを消去する手順を説明するためのフローチャートである。
【００８１】
記録媒体１０４の空き容量を増やしたいなどの目的で映像ファイルの消去を行いたいが、どの映像ファイルを消していいか判断がつきかねた場合、ユーザは、まず、削除候補の問い合わせをするため（Ｓ１０１）、削除ファイル候補問合部１１１を通じて削除優先順決定部１１２を起動する。
【００８２】
削除優先順決定部１１２が起動されると、まず、ＵＭＩＤソート部１１７がファイル一覧取得部１０８を通じて記録媒体１０４に記録された映像ファイルの全ＵＭＩＤを取得する（Ｓ１０２）。
【００８３】
次に、ＵＭＩＤソート部１１７は、送信済リスト読出部１１５を通じて、記録媒体１０４に記憶されている送信済ファイルリスト１１８を読み出す（Ｓ１０３）。ＵＭＩＤソート部１１７は、Ｓ１０２で取得した全映像ファイルのＵＭＩＤを、送信済ファイルリスト１１８に含まれる「送信済み（ＳＥＮＴ）」と含まれない「未送信（ＮＯＴ−ＳＥＮＴ）」に分別する（Ｓ１０４）。
【００８４】
次に、ＵＭＩＤソート部１１７は、「送信済み（ＳＥＮＴ）」に分別したひとつひとつのＵＭＩＤを送信結果問合部１２２に通知する。
【００８５】
次に、送信結果問合部１２２は、無線通信部１０９を通じて、ＵＭＩＤソート部１１７より通知されたＵＭＩＤをＣＨＥＣＫＥＤ−ＵＭＩＤ検索部２１０に通知する。すなわち、送信結果問合部１２２は、ＵＭＩＤソート部１１７より通知された送信済のＵＭＩＤの状態をＣＨＥＣＫＥＤ−ＵＭＩＤ検索部２１０に問い合わせる（Ｓ１０５）。
【００８６】
ＣＨＥＣＫＥＤ−ＵＭＩＤ検索部２１０は、編集システム２００の記録媒体２０３に記録されたチェック終了リスト２０５を走査し、問い合わせのあったそれぞれのＵＭＩＤの状態を確認する。ＣＨＥＣＫＥＤ−ＵＭＩＤ検索部２１０は、確認後、以下の３つのいずれかの状態を示す信号を送信結果問合部１２２に通知する。
【００８７】
ＣＨＥＣＫＥＤ−ＵＭＩＤ検索部２１０は、問い合わせのあったＵＭＩＤがチェック終了リスト２０５に含まれていなければ「未チェック（ＮＯＴ−ＣＨＥＣＫＥＤ）」の状態を示す信号を、無線通信部２０１を通じて送信結果問合部１２２に通知する。問い合わせのあったＵＭＩＤがチェック終了リスト２０５に含まれ、かつ＜ＯＫ＞タグでマークアップされている場合は「チェック済み（ＣＨＥＣＫＥＤ）」の状態を示す信号を、無線通信部２０１を通じて送信結果問合部１２２に通知する。問い合わせのあったＵＭＩＤがチェック終了リスト２０５に含まれ、かつ、＜ＮＧ＞タグでマークアップされている場合は「データ破壊（ＢＲＯＫＥＮ）」の状態を示す信号を、無線通信部２０１を通じて映像記録装置１００の送信結果問合部１２２に通知する。
【００８８】
次に、送信結果問合部１２２は、無線通信部１０９を通じて、ＣＨＥＣＫＥＤ−ＵＭＩＤ検索部２１０から受信した、ＵＭＩＤそれぞれの状態情報をＵＭＩＤソート部１１７に通知する。ＵＭＩＤソート部１１７は、送信結果問合部１２２から、問い合わせしたＵＭＩＤそれぞれの状態情報を受信する（Ｓ１０６）。
【００８９】
次に、ＵＭＩＤソート部１１７は、「送信済み（ＳＥＮＴ）」に分別したひとつひとつのＵＭＩＤを編集結果問合部１１４に通知する。
【００９０】
次に、編集結果問合部１１４は、無線通信部１０９を通じて、ＵＭＩＤソート部１１７より通知されたＵＭＩＤをＥＤＩＴＥＤ−ＵＭＩＤ検索部２１１に通知する。すなわち、編集結果問合部１１４は、ＵＭＩＤソート部１１７より問い合わせのあった編集済のＵＭＩＤの状態をＥＤＩＴＥＤ−ＵＭＩＤ検索部２１１に問い合わせる（Ｓ１０７）。
【００９１】
次に、ＥＤＩＴＥＤ−ＵＭＩＤ検索部２１１は、編集システム２００の記録媒体２０３に記録された使用映像リスト２０８を走査して、問い合わせのあったそれぞれのＵＭＩＤの状態を確認する。ＥＤＩＴＥＤ−ＵＭＩＤ検索部２１１は、確認後、以下の３つのいずれかの状態を示す信号を編集結果問合部１１４に通知する。
【００９２】
ＥＤＩＴＥＤ−ＵＭＩＤ検索部２１１は、問い合わせのあったＵＭＩＤが使用映像リスト２０８に含まれていなければ「未使用（ＮＯＴ−ＵＳＥＤ）」の状態を示す信号を、無線通信部２０１を通じて編集結果問合部１１４に通知する。問い合わせのあったＵＭＩＤが、使用映像リスト２０８に含まれ、かつ＜ＵＳＥＤ＞タグでマークアップされている場合は「採用（ＵＳＥＤ）」の状態を示す信号を、無線通信部２０１を通じて編集結果問合部１１４に通知する。問い合わせのあったＵＭＩＤが、使用映像リスト２０８に含まれ、かつ、＜ＴＲＡＳＨ＞タグでマークアップされている場合は「不採用（ＴＡＲＳＨ）」の状態を示す信号を、映像記録装置１００の編集結果問合部１１４に通知する。
【００９３】
次に、編集結果問合部１１４は、無線通信部１０９を通じて、ＥＤＩＴＥＤ−ＵＭＩＤ検索部２１１から受信した、ＵＭＩＤそれぞれの状態情報をＵＭＩＤソート部１１７に通知する。ＵＭＩＤソート部１１７は、編集結果問合部１１４から、問い合わせしたＵＭＩＤそれぞれの状態情報を受信する（Ｓ１０８）。
【００９４】
次に、ＵＭＩＤソート部１１７は、前記送信済リスト読出部１１５、送信結果問合部１２２、編集結果問合部１１４のそれぞれから得られた各ＵＭＩＤに関する状態情報を元に、削除優先順テーブル１１６を用いて全ＵＭＩＤを削除優先順に並び替える（Ｓ１０９）。
【００９５】
図７は、削除優先順テーブル１１６の１例を示す図である。
【００９６】
図７に示すように、例えば最も削除優先順が高いものは「送信済み（ＳＥＮＴ）」、かつ、「チェック済み（ＣＨＥＣＫＥＤ）」及び「不採用（ＴＡＲＳＨ）」の状態の映像ファイルとし、図７で削除優先度「１」としている。また、最も削除優先順が低いものは「未送信（ＮＯＴ−ＳＥＮＴ）」の状態の映像ファイルとし、図７で削除優先度「１０」としている。
【００９７】
したがって、図７に示す削除優先順テーブル１１６では、「ＵＳＥＤ」→「ＮＯＴ−ＵＳＥＤ」→「ＴＲＡＳＨ」の順に削除優先度が上がり、さらに、「ＮＯＴ−ＣＨＥＣＫＥＤ」→「ＢＲＯＫＥＮ」→「ＣＨＥＣＫＥＤ」の順に削除優先度が上がるように定義されている。
【００９８】
図７では、編集システム２００で採用された重要な映像ファイルは、バックアップの必要性や後のプレビュー頻度が高くなる可能性が高いという観点から、映像記録装置１００側からの消去をしないほうがよいという判断基準に基づき優先度を定義している。
【００９９】
また、図７では、伝送路でデータが壊れたものは再送する必要が高いという観点から映像記録装置１００での映像ファイルは消去をしないほうがよいという判断基準に基づき優先度を定義している。
【０１００】
また、ここでは、複数の映像ファイルが削除優先順テーブル１１６上で同じ削除優先順位になった場合には、収録日時が古い映像ファイルをより削除優先順位の高い映像ファイルとしてソートされるとしている。
【０１０１】
なお、図７で示す優先順位は、優先順位付けの１例であり、運用形態に基づいてユーザごとに自由に設定されるべきものである。
【０１０２】
次に、ＵＭＩＤソート部１１７は、削除優先順に並び替えた（ソートした）ＵＭＩＤのリストである削除優先順ＵＭＩＤリストを、コンテンツ表示順並替部１１９に通知する。
【０１０３】
コンテンツ表示順並替部１１９は、ＵＭＩＤソート部１１７から削除優先順ＵＭＩＤリストを受信する。そして、コンテンツ表示順並替部１１９は、ファイル一覧取得部１０８を通じて、記録媒体１０４内における全映像ファイルの先頭フレームの静止画を取得する。
【０１０４】
次に、コンテンツ表示順並替部１１９は、取得した静止画に対応する映像ファイルのＵＭＩＤと削除優先順ＵＭＩＤリストとを対照することで、取得した静止画を削除優先度の高い順に整列させて、整列させた静止画をアイコン表示部１２３に送信する。
【０１０５】
アイコン表示部１２３は、コンテンツ表示順並替部１１９から、整列された静止画を受信し、受信した静止画をアイコンとしてユーザに表示する（Ｓ１１０）。ユーザは、アイコン表示部１２３に示されるアイコンを参照することで、削除したい映像ファイルを選択することができる。
【０１０６】
ここで、アイコン表示部１２３は、受信した静止画そのものをアイコンとして表示する場合には、静止画に対応する映像ファイルの情報（例えば撮影日、ファイル名、優先度）と共に静止画からなるアイコンを表示する。
【０１０７】
また、コンテンツ表示順並替部１１９は、記録媒体１０４内における全映像ファイルの先頭フレームの静止画ではなく、映像ファイルの情報（例えば撮影日、ファイル名、優先度）を取得してもよい。その場合には、アイコン表示部１２３は、コンテンツ表示順並替部１１９で削除優先度の高い順に整列された映像ファイルの情報（例えば撮影日、ファイル名、優先度）を表示すればよい。
【０１０８】
図８は、アイコン表示部１２３に示される映像ファイルに対応するアイコンの１例を示す図である。図８では、アイコン表示部１２３は、コンテンツ表示順並替部１１９で削除優先度の高い順に整列された映像ファイルの情報（例えば撮影日、ファイル名、優先度）を表示する例を示している。
【０１０９】
次に、ユーザは、削除を実行したい映像ファイルに対応するアイコンを、削除ファイル指定部１２１を通じて指定する（Ｓ１１１）。
【０１１０】
次に、削除ファイル指定部１２１は、ユーザによって指定されたアイコンに対応する映像ファイルのＵＭＩＤをファイル削除部１２０に通知する。
【０１１１】
次に、ファイル削除部１２０は、ファイル入出力部１０３を通じて、通知されたＵＭＩＤに対応する映像ファイルを、記録媒体１０４内から削除する（Ｓ１１２）。
【０１１２】
以上のようにして、映像記録装置１００のユーザは、映像ファイルの削除候補優先順位に基づいて、記録媒体１０４内の映像ファイルを消去する。
【０１１３】
したがって、ユーザは、記録媒体１０４から映像ファイルを消去するにあたって映像記録装置１００から示された削除候補優先順位を参考に、映像ファイルを選択して消去することができる。すなわち、ユーザはどの映像ファイルから消せばいいのかを容易に判断できる。
【０１１４】
また、送信済ファイルリスト１１８は、映像記録装置１００における記録媒体１０４中に記録されており、編集システム２００における記録媒体２０３中には、使用映像リスト２０８とチェック終了リスト２０５とが記録されている。映像記録装置１００においてユーザから削除候補の問い合わせがあった段階で、映像記録装置１００が編集システム２００側に送信済みの映像ファイルの状態を問い合わせて、削除優先順位を示す構成になっている。そのため、映像記録装置１００の記録媒体１０４が取り外し可能なものであった場合でも適切な削除優先順の提示することができる。
【０１１５】
したがって、本実施の形態１の映像記録装置１００及び編集システム２００によれば、ユーザが消去すべきコンテンツの選択を判断可能にし、コンテンツを安全かつ効率的に消去することが可能な映像記録装置１００を実現することができる。すなわち、映像記録装置１００で取り外し可能な記録媒体１０４を使用する場合でも、転送終了した記録媒体１０４内のコンテンツの動画像データを安全かつ効率的に消去することができる。また、映像記録装置１００側で消去候補コンテンツの優先順位を示すことができるため、ユーザが消去すべきコンテンツの選択に迷うこともなくなる。
【０１１６】
（実施の形態２）
図９は、本発明の実施の形態２における映像記録装置７００と映像送信装置７５０と構成を示したブロック図である。図９（ａ）は、映像記録装置７００の構成を示しており図９（ｂ）は、映像送信装置７５０の構成を示している。図１０は、本発明の実施の形態２における映像公開システム８００の構成を示したブロック図である。
【０１１７】
なお、図１及び図２と同様の機能の要素に関しては、同じ符号を付与しており、詳細な説明は省略する。また、映像公開システム８００は、実施の形態１における編集システム２００の別の態様である。
【０１１８】
映像記録装置７００は、図９に示すように、撮像装置１０１と、動画圧縮部１０２と、ファイル入出力部１０３と、記録媒体１０４と、指示受付部１０５と、ファイル一覧取得部１０８と、無線通信部１０９と、削除ファイル候補問合部１１１と、削除優先順決定部１１２と、タッチスクリーン１１３と、ファイル削除部１２０と、削除ファイル指定部１２１と、アイコン表示部１２３とコンテンツ表示フィルタ７１９とを備える。ここで、削除優先順決定部１１２は、ＷＷＷページ確認部７０５と、映像評価問合部７０６と、メタファイル読出部７０７と、ファイル分類部７０８とを備える。
【０１１９】
映像送信装置７５０は、図９（ｂ）に示すように、無線通信部１０９と、ファイル選択送信部７０１と、送信ファイル指定部７０２と、ファイル入出力部７０４とを備える。また、ファイル選択送信部７０１は、送信ファイル指定部７０２と、コンテンツＩＤ取得部７０３とを備える。
【０１２０】
映像公開システム８００は、図１０に示すように、無線通信部２０１と、記録媒体２０３と、ファイル入出力部２０２と、ＩＤ付与部８０２と、新規ファイル監視部８０３と、ＷＷＷページ作成部８０４と、評価受付部８０６を有するＷＷＷサーバ８０５と、ＷＷＷページ確認部８０７と、映像評価読出部８０８とを備える。
【０１２１】
映像記録装置７００において、撮像装置１０１は、映像記録装置１００と同様に、指示受付部１０５を通じてユーザからの録画開始指示が入力されると、撮像を開始し、撮像した動画像データを動画圧縮部１０２に出力する。動画圧縮部１０２は、撮像装置１０１により入力された非圧縮動画像データを、ＭＰＥＧ−２やＤＶなどの動画像符号形式に圧縮し、映像ファイルとしてファイル入出力部１０３を通じて記録媒体１０４に記録する。
【０１２２】
また、映像ファイルは、同様に、ユーザにより指示受付部１０５を通じて指示された録画開始時から録画終了時までごとに独立して、記録媒体１０４上に記録される。また、指示受付部１０５は、例えば映像記録装置７００の外装に設置した押しボタンなどであり、ユーザからの録画開始又は録画終了の指示を撮像装置１０１に入力する。
【０１２３】
記録媒体１０４は、映像記録装置７００で使用され、映像記録装置７００から取り外し可能である。記録媒体１０４は、例えば映像記録装置７００で映像ファイルが記録された後、映像記録装置７００から取り外し、映像送信装置７５０にそのまま取り付けることができる。記録媒体１０４で記録されている映像ファイルは、映像記録装置７００でそのまま使用することができる。
【０１２４】
コンテンツ表示フィルタ７１９は、削除優先度を示すフィルタ条件テーブルを用いて、条件に見合うファイル名の集合をファイル分類部７０８から取得する。コンテンツ表示フィルタ７１９は、ファイル一覧取得部１０８を通じて、記録媒体１０４内で該当する映像ファイルの先頭フレームの静止画を取得して、アイコン表示部１２３に、送信する。
【０１２５】
ＷＷＷページ確認部７０５は、映像公開システム８００のＷＷＷページ確認部８０７と無線通信部１０９を通じて通信する。ＷＷＷページ確認部７０５は、ファイル分類部７０８より通知されたＩＤの状態を、ＷＷＷページ確認部８０７に通知することで問い合わせる。
【０１２６】
映像評価問合部７０６は、映像公開システム８００の映像評価読出部８０８と通信する。映像評価問合部７０６は、ファイル分類部７０８より通知されたＩＤの映像ファイルについての映像評価を、映像評価読出部８０８に通知することで問い合わせる。
【０１２７】
メタファイル読出部７０７は、ファイル分類部７０８より通知された映像ファイルに関連付けられたＩＤが記録されたメタファイルを記録媒体１０４から読み出す。
【０１２８】
ファイル分類部７０８は、ＷＷＷページ確認部７０５や映像評価問合部７０６やメタファイル読出部７０７から得られる映像ファイルに関する情報に基づいて、記録媒体１０４に記録されている映像ファイルを分類する。
【０１２９】
映像送信装置７５０において、ユーザは、送信ファイル指定部７０２を通して、記録媒体１０４に記録した映像ファイルから、映像公開システム８００に送信したい映像ファイルを選択し、選択した映像ファイルを映像公開システム８００に送信する。それにより、ユーザが選択した映像ファイルは映像公開システム８００に登録される。
【０１３０】
送信ファイル指定部７０２は、例えばパーソナルコンピュータ等であり、記録媒体１０４内の映像ファイルの一覧を表示する表示装置と、表示された一覧からファイルを選択するためのマウスやキーボードといった入出力装置を備える。送信ファイル指定部７０２は、ユーザに指定された映像ファイルをファイル選択送信部７０１に通知する。
【０１３１】
ファイル選択送信部７０１は、送信ファイル指定部７０２からユーザが指定する映像ファイルを通知されると、まずコンテンツＩＤ取得部７０３を起動する。ファイル選択送信部７０１は、ユーザが指定する映像ファイルを映像公開システム８００に送信する際に映像ファイルに付与すべきＩＤを、コンテンツＩＤ取得部７０３を通じて問い合わせ、その映像ファイルに付与すべきＩＤを取得する。ここで、コンテンツＩＤ取得部７０３は、無線通信部１０９を通じて映像公開システム８００に問い合わせて取得した、映像ファイルに付与すべきＩＤを、ファイル選択送信部７０１に通知する。
【０１３２】
このとき、映像公開システム８００は、無線通信部２０１を通じて、コンテンツＩＤ取得部７０３から映像ファイルに付与すべきＩＤについての問い合わせを受信すると、ＩＤ付与部８０２を起動する。
【０１３３】
ＩＤ付与部８０２は、起動後、問い合わせのあった映像ファイルに対する固有のＩＤを生成する。ＩＤ付与部８０２は、無線通信部２０１を通じて、生成したＩＤをコンテンツＩＤ取得部７０３に通知する。ここで、生成される固有のＩＤの１例としては、映像公開システム８００が起動以来、受信してきた全ての映像ファイルに対しての通し番号である。
【０１３４】
ファイル選択送信部７０１は、映像ファイルに付与すべきＩＤを取得後、ユーザに指定された映像ファイルを、ファイル入出力部７０４を通じて記録媒体１０４から読み出す。ファイル選択送信部７０１は、読み出した映像ファイルを、無線通信部１０９を通じてネットワークの先にある映像公開システム８００に送信する。
【０１３５】
ここで、ユーザに指定された映像ファイルを映像公開システム８００の送信する際に用いるファイル名は、上記手順で取得したＩＤを用いたものである。これにより、映像公開システム８００の運用においてファイルとＩＤの対応が明確になる上、記録媒体２０３上に構築されたファイルシステム内でのファイル名の競合を防止することもできる。
【０１３６】
ファイル入出力部７０４は、映像ファイルやメタファイルを記録媒体１０４に記録したり、記録媒体１０４から読み出したりする。
【０１３７】
このとき、映像公開システム８００は、無線通信部２０１を通じて受信した映像ファイルを記録媒体２０３に記録する。これと同時に、ファイル選択送信部７０１は、映像公開システム８００に送信した映像ファイルに付与したＩＤを、その映像ファイルに関連付けて、そのファイル入出力部７０４を通じて記録媒体１０４に保存する。
【０１３８】
図１１は、実施の形態２における記録媒体１０４のファイル構成を示す図である。図１１では、映像ファイルに付与されたＩＤの保存方法の１例を示している。
【０１３９】
記録媒体１０４では、構築されたファイルシステムで、ＣＯＮＴＥＮＴＳディレクトリとＣＯＮＴＥＮＴＳディレクトリ直下のＶＩＤＥＯディレクトリとが作成される。そして、映像ファイルとその映像ファイルに付与されたＩＤとは、ＶＩＤＥＯディレクトリに保存される。例えば０００１．ａｖｉファイルの映像ファイルに関するＩＤは、同じＶＩＤＥＯディレクトリに、例えば．０００１ｉｄのメタファイルとして記録される。
【０１４０】
ここで、“．”＋「映像ファイル名」＋“ｉｄ”という命名規則を用いることにより、映像ファイルとメタファイルの関連付けを明確にしている。本実施の形態２では、付与されたＩＤをテキストとしてメタファイルに記述する。
【０１４１】
映像公開システム８００において、新規ファイル監視部８０３は、定期的に記録媒体２０３中のファイルシステムを走査し、映像送信装置７５０から送信され新しく記録された映像ファイルがないかどうかを監視している。
【０１４２】
新規ファイル監視部８０３は、記録媒体２０３に新しく記録された映像ファイルを発見すると、発見した新しい映像ファイルのパスをＷＷＷページ作成部８０４に通知する。
【０１４３】
ＷＷＷページ作成部８０４は、ＷＷＷサーバ８０５を通じてインターネットから閲覧可能な例えば映像ファイルを含むウェブページを作成する。
【０１４４】
例えば、ＷＷＷページ作成部８０４は、新規ファイル監視部８０３より通知された新しい映像ファイルを、ＷＷＷサーバ８０５を通じてインターネットから閲覧可能とするための準備をする。具体的には、ＷＷＷページ作成部８０４は、その新しい映像ファイルにインターネットからブラウザを使ってアクセス可能となるように、その新しい映像ファイルにリンクを張ったＨＴＭＬファイルを作成する。また、その新しい映像ファイルに関連付けられたメタ情報を記録するためのファイルを記録媒体２０３上に作成したり、その新しい映像ファイルを、ブラウザを使った閲覧に適した形式にトランスコードしたりする。
【０１４５】
ＷＷＷサーバ８０５は、評価受付部８０６を備える。ＷＷＷサーバ８０５は、ユーザによりブラウザ等を通じてアクセスされた場合、ＷＷＷページ作成部８０４によって生成されたウェブページをユーザが閲覧できるよう、インターネット網などを介して、ウェブページの情報を提供する。
【０１４６】
評価受付部８０６は、ウェブページの閲覧者により投稿された評価を受け付ける。評価受付部８０６は、受け付けた評価を、それに対応する映像ファイルと関連付けてメタ情報として記録媒体２０３に記録する。
【０１４７】
ＷＷＷページ確認部８０７は、映像公開システム８００の記録媒体２０３を走査し、問い合わせのあったＩＤの状態を確認する。ＷＷＷページ確認部８０７は、確認したＩＤの状態を示す信号を、無線通信部２０１を通じてＷＷＷページ確認部７０５に通知する。
【０１４８】
また、ＷＷＷページ確認部８０７は、ウェブページの作成完了確認を、ＷＷＷページ作成部８０４が作成する映像付随ファイル（ＨＴＭＬファイルや、映像の評価を記録するメタファイル）の存在によって確認する。
【０１４９】
映像評価読出部８０８は、記録媒体２０３を走査して、問い合わせのあったＩＤを持つ映像ファイルに関連付けられたメタファイルを読み出す。映像評価読出部８０８は、読み出したメタファイルから取得した映像ファイルについての映像評価を、無線通信部２０１を通じて映像評価問合部７０６に通知する。
【０１５０】
図１２は、実施の形態２におけるＷＷＷページ作成部８０４によって生成されたウェブページの例である。ブラウザを使って、映像公開システム８００のＷＷＷサーバ８０５にアクセスすることで、ＷＷＷページ作成部８０４によって生成されたウェブページを閲覧できる。
【０１５１】
図１２に示すウェブページは、ブラウザのプラグインなどによって実現された映像再生画面１００１と、ウェブ閲覧者による映像ファイルの評価を受け付ける評価受付部１００３と、評価受付部１００３を通じてウェブ閲覧者から寄せられた映像ファイルの評価を表示する評価表示欄１００２から構成される。ここで、映像再生画面１００１では、映像公開システム８００に記録媒体２０３に記録された映像ファイルが、ブラウザを使った閲覧に適した形式にトランスコードされ再生できるようになっている。
【０１５２】
ウェブページの閲覧者は、映像再生画面１００１に表示される映像作品を評価し、評価受付部１００３を通して、映像公開システム８００が予め定めた評価方法に基づいて（例えば「星５つ」〜「無星」など）評価内容を投稿できる。
【０１５３】
ウェブページの閲覧者により投稿された評価は、ＷＷＷサーバ８０５に備わった評価受付部８０６によって受信され、対応する映像ファイルと関連付けてメタ情報として記録媒体２０３上に記録される。
【０１５４】
図１３は、実施の形態２における記録媒体２０３のファイル構成を示す図である。
【０１５５】
図１３では、実施の形態２におけるメタ情報記録の記録方法の１例を示している。
【０１５６】
記録媒体２０３では、構築されたファイルシステムで、ＣＯＮＴＥＮＴＳディレクトリとＣＯＮＴＥＮＴＳディレクトリ直下のＶＩＤＥＯディレクトリとが作成される。
【０１５７】
映像ファイルとその映像ファイルに関連するメタ情報とは、ＶＩＤＥＯディレクトリに記録される。ＶＩＤＥＯディレクトリに、例えば０００１．ａｖｉの映像ファイルが記録されているとき、その映像ファイルに関連するメタ情報は、同じディレクトリであるＶＩＤＥＯディレクトリにファイル名の本体も同じにしたＸＭＬ形式のメタファイル０００１．ＸＭＬに記録される。メタファイル内では、＜ＥＶＡＬＵＡＴＩＯＮ＞タグ以下に＜ＲＡＴＥ＞タグで、例えば０８０３２８１３３６２４及びＨ．Ｈｏｓｈｉｎｏと「３」とを列挙することで、閲覧者から得た評価を記録することができる。この例では、２００８年３月２８日にＨ．Ｈｏｓｈｉｎｏという閲覧者が映像ファイルの評価を「３」とした閲覧者の評価が記録された例を示している。
【０１５８】
次に、映像記録装置７００のユーザが、記録媒体１０４内の映像ファイルを消去するときの手順について以下説明する。
【０１５９】
図１４は、映像ファイルの削除候補優先度に基づいて、ユーザが記録媒体１０４内の映像ファイルを消去する手順を説明するためのフローチャートである。
【０１６０】
記録媒体１０４の空き容量を増やしたいなどの目的で映像ファイルの消去を行いたいが、どの映像ファイルを消していいか判断がつきかねた場合、ユーザは、まず、削除候補の問い合わせをするため（Ｓ２０１）、削除ファイル候補問合部１１１を通じて削除優先順決定部１１２を起動する。ここで、削除ファイル候補問合部１１１は、例えば映像記録装置１００の外装に設置した押しボタンや映像記録装置１００に備わったタッチスクリーン１１３などである。
【０１６１】
削除優先順決定部１１２が起動されると、まず、ファイル分類部７０８がファイル一覧取得部１０８を通じて記録媒体１０４に記録された映像ファイルの全ファイル名を取得する（Ｓ２０２）。
【０１６２】
次に、ファイル分類部７０８は、取得した全映像ファイルそれぞれに対して関連付けられたＩＤを記録したメタファイルが存在するかどうかをメタファイル読出部７０７を通じて確認する（Ｓ２０３）。ファイル分類部７０８は、取得された全映像ファイルに対して、メタファイルが見つかったファイルの集合「送信済み（ＳＥＮＴ）」と見つからなかったファイルの集合「未送信（ＮＯＴ−ＳＥＮＴ）」とに分別する（Ｓ２０４）。
【０１６３】
次に、ファイル分類部７０８は、「送信済み（ＳＥＮＴ）」に分別したひとつひとつのファイルのＩＤをＷＷＷページ確認部７０５に通知する。
【０１６４】
次に、ＷＷＷページ確認部７０５は、無線通信部１０９を通じて、ファイル分類部７０８より通知されたファイルのＩＤをネットワーク先の映像公開システム８００のＷＷＷページ確認部８０７に通知する。すなわち、ＷＷＷページ確認部７０５は、ファイル分類部７０８より通知された送信済ファイルのＩＤの状態を、ＷＷＷページ確認部８０７に問い合わせる（Ｓ２０５）。
【０１６５】
ＷＷＷページ確認部８０７は、映像公開システム８００の記録媒体２０３を走査し、問い合わせのあったそれぞれＩＤの状態を確認する。ＷＷＷページ確認部８０７は、確認後、以下の２つのいずれかの状態を示す信号をＷＷＷページ確認部７０５に通知する。
【０１６６】
ＷＷＷページ確認部８０７は、問い合わせのあったＩＤのファイルに関するウェブページ作成が終了しているかを調べ、終了していなければ「公開未完了（ＮＯＴ−ＲＥＡＤＹ）」状態を示す信号を、無線通信部２０１を通じてＷＷＷページ確認部７０５に通知する。問い合わせのあったＩＤのファイルに関するウェブページ作成が終了していれば「公開完了（ＲＥＡＤＹ）」状態を示す信号を、無線通信部２０１を通じてＷＷＷページ確認部７０５に通知する。
【０１６７】
次に、ＷＷＷページ確認部７０５は、無線通信部１０９を通じて、ＷＷＷページ確認部８０７から受信した、送信済ファイルのＩＤそれぞれの状態情報をファイル分類部７０８に通知する。ファイル分類部７０８は、ＷＷＷページ確認部７０５から、問い合わせした送信済ファイルそれぞれの状態情報を受信する（Ｓ２０６）。
【０１６８】
次に、ファイル分類部７０８は、取得した状態情報から得た各映像ファイルの状態に応じて、「送信済み（ＳＥＮＴ）」に分別した各映像ファイルを、さらに「公開完了（ＲＥＡＤＹ）」と「公開未完了（ＮＯＴ−ＲＥＡＤＹ）」の集合に分類する。
【０１６９】
次に、ファイル分類部７０８は、分別して「公開完了（ＲＥＡＤＹ）」の集合に含まれる映像ファイルのひとつひとつのＩＤを映像評価問合部７０６に通知する。
【０１７０】
次に、映像評価問合部７０６は、無線通信部１０９を通じて、ファイル分類部７０８より通知されたＩＤを、映像公開システム８００の映像評価読出部８０８に通知する。すなわち、映像評価問合部７０６は、ファイル分類部７０８より通知された「公開完了（ＲＥＡＤＹ）」の映像ファイルについての映像評価を、映像評価読出部８０８に問い合わせる（Ｓ２０７）。
【０１７１】
次に、映像評価読出部８０８は、映像公開システム８００の記録媒体２０３を走査して、問い合わせのあったＩＤを持つ映像ファイルに関連付けられたメタファイルを読み出す。映像評価読出部８０８は、読み出したメタファイルから取得した映像ファイルについての映像評価を、映像記録装置７００の映像評価問合部７０６に通知する。
【０１７２】
次に、映像評価問合部７０６は、無線通信部１０９を通じて受信した、通知された映像ファイルそれぞれについての映像評価を、ファイル分類部７０８に通知する。ファイル分類部７０８は、映像評価問合部７０６から、問い合わせした映像ファイルそれぞれの映像評価を受信する（Ｓ２０８）。
【０１７３】
次に、ファイル分類部７０８は、「公開完了（ＲＥＡＤＹ）」の集合に含まれる映像ファイルを、映像評価問合部７０６から取得した映像評価ごとに分類する（Ｓ２０９）。
【０１７４】
次に、コンテンツ表示フィルタ７１９は、削除優先度を示すフィルタ条件テーブルを用いて、条件に見合うファイル名の集合をファイル分類部７０８から取得する。
【０１７５】
ここで、フィルタ条件テーブルとは、ユーザが予め設定していた削除優先度又はユーザがタッチスクリーン１１３を介して設定した削除優先度を示すテーブルである。
【０１７６】
次に、コンテンツ表示フィルタ７１９は、ファイル一覧取得部１０８を通じて、記録媒体１０４内で該当する映像ファイルの先頭フレームの静止画を取得して、アイコン表示部１２３に送信する。
【０１７７】
アイコン表示部１２３は、かようにして取得された静止画を、削除優先度の高い順に整列させて、ファイル分類部７０８で分類されたファイル情報と共に表示する（Ｓ２１０）。ユーザは、アイコン表示部１２３に示されるアイコンを参照することで、削除したい映像ファイルを選択することができる。ユーザが削除を実行する場合は、削除したい映像ファイルに対応するアイコンを、削除ファイル指定部１２１を通じて指定する。
【０１７８】
なお、フィルタ条件テーブルを通じてユーザが指定できる条件は、ファイル分類部７０８が映像ファイルを分類した集合の種類に対応している。すなわち、本実施例では「未送信」、「公開未完了」、「星１つ」〜「星５つ」の各状態を指定できる。
【０１７９】
図１５は、実施の形態２におけるフィルタ条件テーブルの１例を示す図である。
【０１８０】
図１５に示すように、最も削除優先順が高いものは「ＳＥＮＴ（送信済み）」、かつ、「公開（公開完了）」及び「星１つ」の状態の映像ファイルとし、図１５で優先度「１」としている。また、最も削除優先順が低いものは「ＮＯＴ−ＳＥＮＴ（未送信）」の状態の映像ファイルとし、図１５で削除優先度「７」としている。次に削除優先度が低いものは「非公開（公開未完了）」の状態の映像ファイルとし、図１５で削除優先度「６」としている。
【０１８１】
したがって、図１５に示すフィルタ条件テーブルでは、「公開完了（ＲＥＡＤＹ）」を示す「公開」において「星５つ」→「星４つ」→「星３つ」→「星２つ」→「星１つ」の順に削除優先度が上がるように定義されている。
【０１８２】
次に、ユーザは、削除を実行したい映像ファイルに対応するアイコンを、削除ファイル指定部１２１を通じて指定する（Ｓ２１１）。
【０１８３】
次に、削除ファイル指定部１２１は、ユーザによって指定された映像ファイルのファイル名をファイル削除部１２０に通知する。
【０１８４】
次に、ファイル削除部１２０は、ファイル入出力部１０３を通じて通知された、ユーザに指定された映像ファイルを記録媒体１０４内から削除する（Ｓ２１２）。
【０１８５】
以上のようにして、映像記録装置７００のユーザは、映像ファイルの削除候補優先順位と分類とに基づいて、記録媒体１０４内の映像ファイルを消去する。
【０１８６】
したがって、ユーザは、記録媒体１０４に記録された各映像ファイルのネットワーク上での状態や、閲覧者からの評価を確認しながら不要なファイルがどれであるかを判断できる。「インターネットに公開が済んだものから消す」であるとか、「高い評価を得ている映像は消さない」であるとかの判断をもとに削除するファイルを決められるわけである。
【０１８７】
以上のように、本発明の映像記録装置及び編集システムにより、ユーザは記録媒体１０４から映像ファイルを消去するにあたって、消去を判断するためのアドバイスを取得できるようになる。
【０１８８】
また、本発明の映像記録装置及び編集システムでは、映像ファイル固有のＩＤを記録したメタファイルが映像記録装置７００の記録媒体１０４の中に記録されており、ユーザより削除優先順の問い合わせがあった段階で、映像記録装置７００のファイル分類部７０８がＷＷＷページ確認部７０５と映像評価問合部７０６とを通じて、映像公開システム８００側に問い合わせる構成になっている。そのため、映像記録装置７００の記録媒体１０４が取り外し可能なものであった場合でも適切な削除優先順の提示することができる。
【０１８９】
したがって、本実施の形態２の映像記録装置、映像送信装置及び映像公開システムによれば、ユーザが消去すべきコンテンツの選択を判断可能にし、コンテンツを安全かつ効率的に消去することが可能となる。
【０１９０】
以上、本発明によれば、映像記録装置側で記録される映像ファイルの送信有無の情報と、送信先装置である映像編集装置や映像公開システムで記録される、例えば使用映像リスト２０８とチェック終了リスト２０５などの重要度合いの情報に基づいて、ユーザが消去すべきコンテンツの映像ファイルの情報を提示することができる。
【０１９１】
それにより、ユーザが消去すべきコンテンツの選択を判断可能にし、コンテンツを安全かつ効率的に消去することが可能な映像記録装置を実現することができる。
【０１９２】
したがって、本発明の映像記録装置では、記録媒体から映像ファイルを消去する際に、映像ファイルごとに編集結果を考慮した削除優先順位を確認できたり、映像ファイルごとの視聴者評価が確認できたりするため、ユーザはどの映像ファイルから消去すればよいかの判断が容易になる。その結果効率のよい記録媒体の運用が可能となり、映像記録装置が備える記憶容量の削減も可能となる。
【産業上の利用可能性】
【０１９３】
本発明は、映像記録装置及び映像編集装置に利用でき、特に、放送業務用の映像記録装置及び映像編集装置、や個人が撮影した映像記録データをウェブページ上で公開するための映像記録装置及び映像編集装置に利用することができる。
【図面の簡単な説明】
【０１９４】
【図１】本発明の実施の形態１における映像記録装置１００の構成を示すブロック図である。
【図２】本発明の実施の形態１における編集システム２００の構成を示すブロック図である。
【図３】映像記録装置１００における記録媒体１０４のファイル構成を示す図である。
【図４】編集システム２００における記録媒体２０３のファイル構成を示す図である。
【図５】映像編集端末２０６が作成するプレイリスト２０７の１例を示す図である。
【図６】映像ファイルの削除候補優先順位に基づいて、ユーザが記録媒体１０４内の映像ファイルを消去する手順を説明するためのフローチャートである。
【図７】削除優先順テーブルの１例を示す図である。
【図８】アイコン表示部１２３に示される映像ファイルに対応するアイコンの１例を示す図である。
【図９】本発明の実施の形態２における映像記録装置７００と映像送信装置７５０と構成を示したブロック図である。
【図１０】本発明の実施の形態２における映像公開システム８００の構成を示すブロック図である。
【図１１】実施の形態２における記録媒体１０４のファイル構成を示す図である。
【図１２】実施の形態２におけるＷＷＷページ作成部８０４によって生成されたウェブページの例である。
【図１３】実施の形態２における記録媒体２０３のファイル構成を示す図である。
【図１４】映像ファイルの削除候補優先度に基づいて、ユーザが記録媒体１０４内の映像ファイルを消去する手順を説明するためのフローチャートである。
【図１５】実施の形態２におけるフィルタ条件テーブルの１例を示す図である。
【符号の説明】
【０１９５】
１００、７００  映像記録装置
１０１  撮像装置
１０２  動画圧縮部
１０３、２０２  ファイル入出力部
１０４、２０３  記録媒体
１０５  指示受付部
１０６  ＵＭＩＤ付加部
１０７  送信ファイル決定部
１０８  ファイル一覧取得部
１０９、２０１  無線通信部
１１０  エラーチェック情報計算部
１１１  削除ファイル候補問合部
１１２  削除優先順決定部
１１３  タッチスクリーン
１１４  編集結果問合部
１１５  送信済リスト読出部
１１６  削除優先順テーブル
１１７  ＵＭＩＤソート部
１１９  コンテンツ表示順並替部
１２０  ファイル削除部
１２１  削除ファイル指定部
１２２  送信結果問合部
１２３  アイコン表示部
２００  編集システム
２０１  無線通信部
２０４  データエラーチェック部
２１０  ＣＨＥＣＫＥＤ−ＵＭＩＤ検索部
２１１  ＥＤＩＴＥＤ−ＵＭＩＤ検索部
７０１  ファイル選択送信部
７０２  送信ファイル指定部
７０３  コンテンツＩＤ取得部
７０４  ファイル入出力部
７０５  ＷＷＷページ確認部
７０６  映像評価問合部
７０７  メタファイル読出部
７０８  ファイル分類部
７１９  コンテンツ表示フィルタ
７５０  映像送信装置
８００  映像公開システム
８０２  ＩＤ付与部
８０３  新規ファイル監視部
８０４  ＷＷＷページ作成部
８０５  ＷＷＷサーバ
８０６、１００３  評価受付部
８０７  ＷＷＷページ確認部
８０８  映像評価読出部
１００１  映像再生画面
１００２  評価表示欄
【図１】
2010021972.tif 000003
【図２】
2010021972.tif 000004
【図３】
2010021972.tif 000005
【図４】
2010021972.tif 000006
【図５】
2010021972.tif 000007
【図６】
2010021972.tif 000008
【図７】
2010021972.tif 000009
【図８】
2010021972.tif 000010
【図９】
2010021972.tif 000011
【図１０】
2010021972.tif 000012
【図１１】
2010021972.tif 000013
【図１２】
2010021972.tif 000014
【図１３】
2010021972.tif 000015
【図１４】
2010021972.tif 000016
【図１５】
2010021972.tif 000017